(57)【要約】      （修正有）【課題】スペースを節約するために、隠して格納することができ、かつ異なる条件に適合するように異なる角度に調節することができる格納式ピンを備えたアダプタを提供することを目的とする。【解決手段】アダプタは、格納式ピン１３２ａ・１３２ｂ、基端部１３６ａ・１３６ｂ、および基端部１３６ａ・１３６ｂを連結するための連結ロッド１３４を含むラック１３０と、貫通穴を備えるピン受入スロットを含みラックの格納式ピンが貫通穴の中に挿入されピン受入スロットがラックの格納式ピンを収容できるように下側のケースと、ラックの基端部に弾力性を加えてラックの格納式ピンの位置を一時的に固定するために使用されるばねが搭載された内側のケースと、内側のケースを収容でき下側のケースとかみ合う上側のケースを備える。【選択図】図１
2015149211.tif 000002
【特許請求の範囲】
【請求項１】
格納式ピン（１３２ａ、１３２ｂ）を備えるアダプタ（１００）であって：
前記格納式ピン（１３２ａ、１３２ｂ）、基端部（１３６ａ、１３６ｂ）、および前記基端部（１３６ａ、１３６ｂ）を連結するための連結ロッド（１３４）を含むラック（１３０）；
中に形成された貫通穴（１２６ａ、１２６ｂ）を備えるピン受入スロット（１２２ａ、１２２ｂ）を含む下側のケース（１２０）であって、前記ラック（１３０）の前記格納式ピン（１３２ａ、１３２ｂ）は、前記貫通穴（１２６ａ、１２６ｂ）の中に挿入され、前記ピン受入スロット（１２２ａ、１２２ｂ）は、前記ラック（１３０）の前記格納式ピン（１３２ａ、１３２ｂ）を収容できるように形成された下側のケース（１２０）；
前記ラック（１３０）の前記基端部（１３６ａ、１３６ｂ）に弾力性を加えて、前記ラック（１３０）の前記格納式ピン（１３２ａ、１３２ｂ）の位置を一時的に固定するために使用されるばね（１４２ａ、１４２ｂ）が搭載された内側のケース（１４０）；および
前記内側のケース（１４０）を収容でき、かつ前記下側のケース（１２０）とかみ合う上側のケース（１１０）
を備えるアダプタ（１００）。
【請求項２】
前記ラック（１３０）の前記連結ロッド（１３４）を保持するために、中に形成された溝を備える前記上側のケース（１１０）に搭載されたホルダ（１５０）をさらに備え、前記上側のケース（１１０）は、前記ラック（１３０）の前記基端部（１３６ａ、１３６ｂ）を保持するために、中に形成されたノッチを備えるラック基部（１１２ａ、１１２ｂ）をさらに備える、請求項１に記載のアダプタ。
【請求項３】
前記下側のケース（１２０）の前記ピン受入スロット（１２２ａ、１２２ｂ）は、Ｕ字型突出部（１２４）まで伸びて、前記上側のケース（１１０）は、前記Ｕ字型突出部（１２４）を収容できるＵ字型ノッチ（１１４）をさらに備える、請求項１に記載のアダプタ。
【請求項４】
前記下側のケース（１２０）は、指先を許容する第１の凹面（１２２）をさらに備える、請求項１に記載のアダプタ。
【請求項５】
前記第１の凹面（１２２）は半円形である、請求項４に記載のアダプタ。
【発明の詳細な説明】
【技術分野】
【０００１】
本発明はアダプタに関し、より詳細には格納式ピンを備えるアダプタに関する。
【背景技術】
【０００２】
ノートブック、携帯情報端末（ＰＤＡ）、携帯電話、ＭＰ３プレーヤなどを含む家電製品は、常により小さなサイズに向かう傾向がある。したがって、家電製品のアダプタは、より小さなサイズでより軽量で、出荷のためにより好都合に作られる必要がある。
【０００３】
しかしながら、多くの従来のアダプタは、スペースを節約するために、隠して格納することができず、かつ異なる条件に適合するように異なる角度に調節することができない固定ピンを単に提供するだけである。さらに、従来のアダプタのピンは、ぶつけることにより損傷する可能性があり、アダプタのピンを隠して格納することができないので、アダプタが置いておかれたとき、損傷したピンが火事をもたらす可能性がある。
【発明の概要】
【発明が解決しようとする課題】
【０００４】
携帯に便利な家電製品用にさまざまな種類のアダプタが最近発売されている。しかしながら、上記の欠点を克服するアダプタの需要が依然として存在する。
【課題を解決するための手段】
【０００５】
上述した、従来のアダプタの欠点を考慮して、本発明は、柔軟な機構を備えるアダプタを開示する。
【０００６】
本発明は、スペースを節約するために、隠して格納することができ、かつ異なる条件に適合するように異なる角度に調節することができる格納式ピンを備えるアダプタ提供する。さらに、本発明のピンは、ぶつけることにより損傷せず、したがって、本発明は、アダプタのピンを、隠すように格納できるので、アダプタが置いておかれたとき、損傷したピンに起因する火事を防止することができる。
【０００７】
本発明は、格納式ピンを備えるアダプタであって：格納式ピン、基端部、および基端部を連結するための連結ロッドを含むラック；中に形成された貫通穴を備えるピン受入スロットを含み、ラックの格納式ピンが貫通穴の中に挿入され、ピン受入スロットがラックの格納式ピンを収容できるように形作られた下側のケース；ラックの基端部に弾力性を加えて、ラックの格納式ピンの位置を一時的に固定するために使用されるばねが搭載された内側のケース；および内側のケースを収容でき、下側のケースとかみ合う上側のケースを備えるアダプタを提供する。
【０００８】
あるいは、本発明のアダプタは、ラックの連結ロッドを保持するために、中に形成された溝を備える、上側のケースに搭載されたホルダをさらに備える。
【０００９】
あるいは、上側のケースは、ラックの基端部を保持するために、中に形成されたノッチを備えるラック基部をさらに備え、内側のケースは、ラックおよびホルダを収容できる正方形のノッチをさらに備える。
【００１０】
あるいは、下側のケースのピン受入スロットは、Ｕ字型突出部まで伸び、上側のケースは、Ｕ字型突出部を収容できるＵ字型ノッチをさらに備える。
【００１１】
あるいは、下側のケースは、指先を許容する第１の凹面をさらに備え、第１の凹面は半円形であり、第１の凹面は第２の凹面の内側にあり、第２の凹面は正方形である。
【００１２】
あるいは、第２の凹面はピン受入スロットに接続される。
【００１３】
本発明の基本の特徴および利点が、添付図面を参照して、以下の説明を読むと明らかになるであろう。
【図面の簡単な説明】
【００１４】
【図１】本発明による格納式ピンを備えるラックの斜視図である。
【図２Ａ】本発明によるラックおよびホルダを収容できる、アダプタの上側のケースの斜視図である。
【図２Ｂ】本発明による格納式ピンが下側のケースを通して挿入される方法を示す、アダプタの下側のケースの斜視図である。
【図３】本発明によるアダプタの分解図である。
【図４Ａ】本発明による格納式ピンの可能な角度を示す。
【図４Ｂ】本発明による格納式ピンの可能な角度を示す。
【図４Ｃ】本発明による格納式ピンの可能な角度を示す。
【発明を実施するための形態】
【００１５】
上記に列挙した詳細、ならびに本発明による他の利点および目的が得られる手法を完全に理解するために、最良と考えられる様態およびその具体的実施形態を参照して、本発明についてより詳細に説明する。本発明についての以下の説明は、本発明の一般原則を示すために行われ、限定する意味で理解されるべきではない；本発明についての以下の説明は、本発明のさまざまな実施形態を例示するものである。したがって、説明する具体的実施形態は、本発明の範囲の限定として解釈されるべきではない。本発明の範囲を逸脱することなくさまざまな均等物、変更形態、および修正形態を作成してもよいことが当業者には明らかであり、このような均等な実施形態は本明細書に含まれるべきであることが理解される。以下で提示する説明で使用する用語は、本発明の特定の具体的な実施形態の詳細な説明と共に使用されているとしても、その用語の最も広い合理的なやり方で解釈されることが意図される。以下で、特定の用語が強調される場合さえある；しかしながら、任意の制限されたやり方で解釈されることを意図されるどんな用語も、この詳細な説明の部分でそのようなものとして明白に、かつ具体的に定義される。前後関係が許す場合、単数または複数の項目が、それぞれ複数または単数の項目をさらに含んでもよい。さらに、用語「または（ｏｒ）」が２つ以上の項目からなるリストにおいてその他の項目から排他的に単一の項目だけを意味するように明示的に制限される場合を除いて、このようなリストで「ｏｒ」を使用することは、（ａ）リスト内の任意の単一の項目、（ｂ）リスト内の項目のすべて、または（ｃ）リスト内の項目の任意の組合せを含むものと解釈されるべきである。
【００１６】
本発明の範囲、構造、および手順を説明するために、本発明の好ましい実施形態および様態について説明する。本明細書の好ましい実施形態以外に、本発明を他の実施形態に広く適用することができる。
【００１７】
本発明は、格納式ピン（１３２ａ、１３２ｂ）を備えるアダプタ（１００）を提供する。図１は、本発明による格納式ピン（１３２ａ、１３２ｂ）を備えるラック（１３０）の斜視図を示す。ラック（１３０）は、格納式ピン（１３２ａ、１３２ｂ）、基端部（１３６ａ、１３６ｂ）、および基端部（１３６ａ、１３６ｂ）を連結するための連結ロッド（１３４）を含んでもよい。
【００１８】
図２Ｂは、本発明による、格納式ピン（１３２ａ、１３２ｂ）が下側のケース（１２０）を通して挿入される方法を示す、アダプタの下側のケース（１２０）の斜視図を示す。下側のケース（１２０）は、中に形成された貫通穴（１２６ａ、１２６ｂ）を備えるピン受入スロット（１２２ａ、１２２ｂ）を含んでもよく、ラック（１３０）の格納式ピン（１３２ａ、１３２ｂ）は、貫通穴（１２６ａ、１２６ｂ）の中に挿入され、ピン受入スロット（１２２ａ、１２２ｂ）は、ラック（１３０）の格納式ピン（１３２ａ、１３２ｂ）を収容できるように形作られる。
【００１９】
図２Ａは、本発明による、ラック（１３０）およびホルダ（１５０）を収容できる、アダプタの上側のケース（１１０）の斜視図を示す。内側のケース（１４０）の上にばね（１４２ａ、１４２ｂ）が搭載され、ばね（１４２ａ、１４２ｂ）は、ラック（１３０）の基端部（１３６ａ、１３６ｂ）に弾力性を加えて、ラック（１３０）の格納式ピン（１３２ａ、１３２ｂ）の位置を一時的に固定するために使用される。さらに、上側のケース（１１０）は内側のケース（１４０）を収容でき、下側のケース（１２０）とかみ合う。あるいは、ラック（１３０）の基端部（１３６ａ、１３６ｂ）は、ばね（１４２ａ、１４２ｂ）と接触する伸長部分（１３８ａ、１３８ｂ）を含むことができる。
【００２０】
さらに、ラック（１３０）の連結ロッド（１３４）を保持するために、中に形成された溝を備える上側のケース（１１０）にホルダ（１５０）が搭載される。
【００２１】
図３は、本発明によるアダプタ（１００）の分解図である。上側のケース（１１０）は、ラック（１３０）の基端部（１３７ａ、１３６ｂ）を保持するために、中に形成されたノッチを備えるラック基部（１１２ａ、１１２ｂ）をさらに備えてもよい。
【００２２】
さらに、内側のケース（１４０）は、ラック（１３０）およびホルダ（１５０）を収容できる正方形のノッチをさらに備えてもよい。
【００２３】
下側のケース（１２０）のピン受入スロット（１２２ａ、１２２ｂ）は、Ｕ字型突出部（１２４）まで伸びてもよく、上側のケース（１１０）は、Ｕ字型突出部（１２４）を収容できるＵ字型ノッチ（１１４）をさらに備えてもよい。
【００２４】
あるいは、下側のケース（１２０）は、利用者の指先を許容する第１の凹面（１２２）をさらに備えてもよい。さらに、第１の凹面（１２２）は半円形であってもよく、第２の凹面（１２８）の内側にあってもよい。さらに、第２の凹面（１２８）は正方形であり、ピン受入スロット（１２２ａ、１２２ｂ）に接続される。
【００２５】
図４Ａ〜図４Ｃは、本発明による格納式ピンの可能な角度を示す。アダプタ（１００）の内側のばね（１４２ａ、１４２ｂ）が、ラック（１３０）の基端部（１３６ａ、１３６ｂ）に弾力性を加えるので、ラック（１３０）の格納式ピン（１３２ａ、１３２ｂ）の位置を一時的に固定することができ、したがって、ラック（１３０）の格納式ピン（１３２ａ、１３２ｂ）は、複数の位置（角度）にあることができる。図４Ａは、ラック（１３０）の格納式ピン（１３２ａ、１３２ｂ）が、隠れた位置にあることを示し、図４Ｂは、ラック（１３０）の格納式ピン（１３２ａ、１３２ｂ）が、最上部の位置にあることを示し、図４Ｃは、ラック（１３０）の格納式ピン（１３２ａ、１３２ｂ）が、側面の位置にあることを示す。
【００２６】
前述の記載では、説明の目的で、本発明の完全な理解を提供するために、好ましい実施形態の具体的詳細を示した。しかしながら、本発明を実施するために、具体的詳細は必要ないことが、当業者には明白であろう。したがって、本発明の具体的実施形態の前述の説明は、例示および説明のためだけに提示され、本発明の範囲を限定すると決して解釈されるべきではない。本発明の具体的実施形態の前述の説明は、網羅的とすることを意図するものでもなく、開示した正確な形態に本発明を限定するものでもない；上記教示を考慮すると、多くの修正形態および変形形態が可能であることが明らかである。本発明の原理、および本発明の原理の実際的応用を最もよく説明し、それにより、企図される特定の用途に適したさまざまな修正を行って本発明およびさまざまな実施形態を当業者が最良に利用することができるように、実施形態を選択し、説明した。以下の特許請求の範囲およびその均等物が、本発明の範囲を規定することが意図される。
【００２７】
本発明の上記の実施形態は、例示することだけを意図したものである。以下の特許請求の範囲を逸脱することなく、当業者により数多くの代替の実施形態が考案されてもよい。
【符号の説明】
【００２８】
１００    アダプタ
１１０    上側のケース
１１２ａ、１１２ｂ    ラック基部
１１４    Ｕ字型ノッチ
１２０    下側のケース
１２２    第１の凹面
１２２ａ、１２２ｂ    ピン受入スロット
１２４    Ｕ字型突出部
１２６ａ、１２６ｂ    貫通穴
１２８    第２の凹面
１３０    ラック
１３２ａ、１３２ｂ    格納式ピン
１３４    連結ロッド
１３６ａ、１３６ｂ    基端部
１３８ａ、１３８ｂ    伸長部分
１４０    内側のケース
１４２ａ、１４２ｂ    ばね
１５０    ホルダ
【図１】
2015149211.tif 000003
【図２Ａ】
2015149211.tif 000004
【図２Ｂ】
2015149211.tif 000005
【図３】
2015149211.tif 000006
【図４Ａ】
2015149211.tif 000007
【図４Ｂ】
2015149211.tif 000008
【図４Ｃ】
2015149211.tif 000009
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
格納式ピン（１３２ａ、１３２ｂ）を備えるアダプタ（１００）であって、
前記格納式ピン（１３２ａ、１３２ｂ）、基端部（１３６ａ、１３６ｂ）、および前記基端部（１３６ａ、１３６ｂ）を連結するための連結ロッド（１３４）を含むラック（１３０）、
ピン受入スロット（１２２ａ、１２２ｂ）および第２の凹面（１２８）を含む下側のケース（１２０）であって、前記ピン受入スロット（１２２ａ、１２２ｂ）は、前記下側のケース（１２０）に形成された貫通穴（１２６ａ、１２６ｂ）を備え、前記ラック（１３０）の前記格納式ピン（１３２ａ、１３２ｂ）は、前記貫通穴（１２６ａ、１２６ｂ）および前記ピン受入スロット（１２２ａ、１２２ｂ）に挿入され、前記ピン受入スロット（１２２ａ、１２２ｂ）と前記第２の凹面（１２８）との間で回動可能である、下側のケース（１２０）、
前記ラック（１３０）の前記基端部（１３６ａ、１３６ｂ）に弾力性を加えて、前記ラック（１３０）の前記格納式ピン（１３２ａ、１３２ｂ）の位置を一時的に固定するために使用されるばね（１４２ａ、１４２ｂ）が搭載された内側のケース（１４０）、および、
前記内側のケース（１４０）を収容でき、かつ前記下側のケース（１２０）とかみ合う上側のケース（１１０）であって、さらに、前記ラック（１３０）の前記連結ロッド（１３４）を保持するために、中に形成された溝を備えるホルダ（１５０）を含む、上側のケース（１１０）、
を備えるアダプタ（１００）。
【請求項２】
前記上側のケース（１１０）は、前記ラック（１３０）の前記基端部（１３６ａ、１３６ｂ）を保持するために、中に形成されたノッチを備えるラック基部（１１２ａ、１１２ｂ）をさらに備える、請求項１に記載のアダプタ。
【請求項３】
前記下側のケース（１２０）の前記ピン受入スロット（１２２ａ、１２２ｂ）は、Ｕ字型突出部（１２４）まで伸びて、前記上側のケース（１１０）は、前記Ｕ字型突出部（１２４）を収容できるＵ字型ノッチ（１１４）をさらに備える、請求項１に記載のアダプタ。
【請求項４】
前記下側のケース（１２０）は、指先を許容する第１の凹面（１２２）をさらに備える、請求項１に記載のアダプタ。
【請求項５】
前記第１の凹面（１２２）は半円形である、請求項４に記載のアダプタ。